(57)【要約】【課題】電線ガイド体の湾曲変形に支障を来すことなく細長い電光装飾部品を電線ガイド体に取り付ける。【解決手段】電線ガイド装置Ａは、内部にワイヤーハーネス３１（電線）が挿通されるようになっていて湾曲変形可能な細長い電線ガイド体１０と、電線ガイド体１０の外面に係止可能な係止部（脚部２３、係止端部２４）と、電光装飾部品２９を保持可能な保持部２５とを有するホルダ２１とを備える。電光装飾部品２９を電線ガイド体１０に取り付ける際には、ホルダ２１で電光装飾部品２９を保持し、そのホルダ２１を電線ガイド体１０に係止させれば済む。両面テープ等のように電線ガイド体１０の湾曲変形に支障を来すような部材を用いなくても、細長い電光装飾部品２９を電線ガイド体１０に取り付けることができる。【選択図】図４
2017055550.tif 000002
【特許請求の範囲】
【請求項１】
内部に電線が挿通されるようになっていて湾曲変形可能な細長い電線ガイド体と、
電光装飾部品を前記電線ガイド体に保持可能な保持手段とを備えていることを特徴する電線ガイド装置。
【請求項２】
前記保持手段が、前記電線ガイド体の外面に係止可能な係止部と、電光装飾部品を保持可能な保持部とを有するホルダであることを特徴とする請求項１記載の電線ガイド装置。
【請求項３】
前記ホルダが、前記電線ガイド体の外面と対向するアーム部を有し、
前記保持部が、前記アーム部における前記電線ガイド体との対向面に配されていることを特徴とする請求項２記載の電線ガイド装置。
【請求項４】
前記電線ガイド体は、略水平面内で湾曲するように変形可能であり、
前記保持部が、前記電線ガイド体の上面又は下面と対向するように配されていることを特徴とする請求項２又は請求項３記載の電線ガイド装置。
【請求項５】
前記電線ガイド体が、
複数のリンク部材を一列に連結した形態であって内部に前記電線が挿通されたガイド本体と、
前記ガイド本体を包囲する蛇腹状のゴムブーツとを備えて構成され、
前記係止部が前記ゴムブーツの外面の溝部に係止されていることを特徴とする請求項２ないし請求項４のいずれか１項に記載の電線ガイド装置。
【請求項６】
前記電線ガイド体と前記ホルダが、透光性を有する自着性布材で包囲されていることを特徴とする請求項５記載の電線ガイド装置。
【請求項７】
前記電線ガイド体が、
複数のリンク部材を一列に連結した形態であって内部に前記電線が挿通されたガイド本体と、
前記ガイド本体を包囲する蛇腹状のゴムブーツとを備えて構成され、
前記保持手段が、前記ゴムブーツに包囲されていることを特徴とする請求項１ないし請求項４のいずれか１項記載の電線ガイド装置。
【請求項８】
前記電線ガイド体が、
複数のリンク部材を一列に連結した形態であって内部に前記電線が挿通されたガイド本体と、
前記ガイド本体を包囲する伸縮性を有する自着性布材とを備えて構成され、
前記リンク部材同士を連結する軸部の端面には凹部が形成され、
前記係止部が、前記自着性布材とともに前記凹部内に嵌入されていることを特徴とする請求項２ないし請求項４のいずれか１項に記載の電線ガイド装置。
【請求項９】
前記保持手段が、前記電線ガイド体に一体に形成されていることを特徴とする請求項１又は請求項７記載の電線ガイド装置。
【請求項１０】
前記電線ガイド体が、
複数のリンク部材を一列に連結した形態であって内部に前記電線が挿通されたガイド本体と、
前記ガイド本体を包囲する蛇腹状のゴムブーツとを備えて構成され、
前記保持手段が、前記ガイド本体と前記ゴムブーツのうち少なくともいずれか一方に一体形成されていることを特徴とする請求項９記載の電線ガイド装置。
【請求項１１】
内部に電線が挿通されるようになっていて湾曲変形可能な細長い電線ガイド体に取り付けられることで電線ガイド装置を構成し、
前記電線ガイド体の外面に係止可能な係止部と、電光装飾部品を保持可能な保持部とを備えていることを特徴とする電光装飾部品用ホルダ。
【発明の詳細な説明】
【技術分野】
【０００１】
本発明は、電線ガイド装置及び電光装飾部品用ホルダに関するものである。
【背景技術】
【０００２】
特許文献１には、車両ボディとスライドドアとの間に略水平に架設される電線ガイド装置が開示されている。電線ガイド装置は、複数のリンク部材を一列に連結した形態の湾曲変形可能な電線ガイド体を備えて構成されている。電線ガイド体には、スライドドアに装備された電装品等への給電を行うためのワイヤーハーネスが挿通されている。
【先行技術文献】
【特許文献】
【０００３】
【特許文献１】特開２０１５−０７４３０７号公報
【発明の概要】
【発明が解決しようとする課題】
【０００４】
自動車のユーザーの間では、車両ボディにＬＥＤを使用した細長い電光装飾部品を取り付けることが行われている。この種の電光装飾部品は、電線ガイド体に取り付けることで、夜間の昇降の際に乗員が誤って電線ガイド体を踏みつけることを防止する手段として有効利用することが可能である。しかしながら、電線ガイド体は、スライドドアの開閉に伴って湾曲変形するものであるため、両面テープ等で接着することはできない。
【０００５】
本発明は上記のような事情に基づいて完成されたものであって、電線ガイド体の湾曲変形に支障を来すことなく細長い電光装飾部品を電線ガイド体に取り付けることを目的とする。
【課題を解決するための手段】
【０００６】
第１の発明の電線ガイド装置は、
内部に電線が挿通されるようになっていて湾曲変形可能な細長い電線ガイド体と、
電光装飾部品を前記電線ガイド体に保持可能な保持手段とを備えているところに特徴を有する。
【０００７】
第２の発明の電光装飾部品用ホルダは、
内部に電線が挿通されるようになっていて湾曲変形可能な細長い電線ガイド体に取り付けられることで電線ガイド装置を構成し、
前記電線ガイド体の外面に係止可能な係止部と、電光装飾部品を保持可能な保持部とを備えているところに特徴を有する。
【発明の効果】
【０００８】
第１の発明によれば、電光装飾部品を電線ガイド体に保持可能な保持手段を備えているので、両面テープ等のように電線ガイド体の湾曲変形に支障を来すような部材を用いなくても、細長い電光装飾部品を電線ガイド体に取り付けることができる。また、第２の発明によれば、電光装飾部品を電線ガイド体に取り付ける際には、ホルダで電光装飾部品を保持し、そのホルダを電線ガイド体に係止させれば済む。したがって、第２の発明によれば、両面テープ等のように電線ガイド体の湾曲変形に支障を来すような部材を用いなくても、細長い電光装飾部品を電線ガイド体に取り付けることができる。
【図面の簡単な説明】
【０００９】
【図１】実施例１の電線ガイド装置の斜視図
【図２】電線ガイド装置の側面図
【図３】ガイド本体の平面図
【図４】電線ガイド装置の断面図
【図５】実施例２の電線ガイド装置の側面図
【図６】電線ガイド装置の平面図
【図７】電線ガイド装置の断面図
【図８】実施例３の電線ガイド装置の断面図
【図９】実施例４の電線ガイド装置の断面図
【図１０】実施例５の電線ガイド装置の断面図
【発明を実施するための形態】
【００１０】
（ａ）第１の発明は、前記保持手段が、前記電線ガイド体の外面に係止可能な係止部と、電光装飾部品を保持可能な保持部とを有するホルダであってもよい。
この構成によれば、既存の電線ガイド体を使用することができる。
【００１１】
（ｂ）第１の発明は、（ａ）において、前記ホルダが、前記電線ガイド体の外面と対向するアーム部を有し、前記保持部が前記アーム部における前記電線ガイド体との対向面に配されていてもよい。
この構成によれば、電光装飾部品を電線ガイド体の外面に沿うように配索することができる。
【００１２】
（ｃ）第１の発明は、（ａ）又は（ｂ）において、前記電線ガイド体は、略水平面内で湾曲するように変形可能であり、前記保持部が、前記電線ガイド体の上面又は下面と対向するように配されていてもよい。
この構成によれば、電線ガイド体が湾曲変形しても電光装飾部品の配索長が大きく変化することがないので、電光装飾部品の配索長を設定する際に余長を確保せずに済む。
【００１３】
（ｄ）第１の発明は、（ａ）ないし（ｃ）のいずれかにおいて、前記電線ガイド体が、複数のリンク部材を一列に連結した形態であって内部に前記電線が挿通されたガイド本体と、前記ガイド本体を包囲する蛇腹状のゴムブーツとを備えて構成され、前記係止部が前記ゴムブーツの外面の溝部に係止されていてもよい。
この構成によれば、ゴムブーツの外面の溝部を利用することによって、ホルダを電線ガイド体の取り付けることができる。
【００１４】
（ｅ）第１の発明は、（ｄ）において、前記電線ガイド体と前記ホルダが、伸縮性及び透光性を有する自着性布材で包囲されていてもよい。
この構成によれば、自着性布材によってホルダを隠すことができるので、美観を向上させることができる。尚、自着性布材は、織布等からなる布状基材に天然ゴム等の自着剤を付着させたものであり、自着性布材同士を密着させると互いに密着状態に保持されるものと定義する。
【００１５】
（ｆ）第１の発明は、（ａ）ないし（ｃ）のいずれかにおいて、前記電線ガイド体が、複数のリンク部材を一列に連結した形態であって内部に前記電線が挿通されたガイド本体と、前記ガイド本体を包囲する蛇腹状のゴムブーツとを備えて構成され、前記保持手段が、前記ゴムブーツに包囲されていてもよい。
この構成によれば、ゴムブーツによって保持手段を隠すことができるので、美観を向上させることができる。
【００１６】
（ｇ）第１の発明は、（ａ）ないし（ｃ）のいずれかにおいて、前記電線ガイド体が、複数のリンク部材を一列に連結した形態であって内部に前記電線が挿通されたガイド本体と、前記ガイド本体を包囲する伸縮性を有する自着性布材とを備えて構成され、前記リンク部材同士を連結する軸部の端面には凹部が形成され、前記係止部が、前記自着性布材とともに前記凹部内に嵌入されていてもよい。
この構成によれば、係止部を自着性布材とともに凹部に嵌入することにより、ホルダを電線ガイド体に取り付けることができるとともに、自着性布材とガイド本体とを一体化させることができる。尚、自着性布材は、織布等からなる布状基材に天然ゴム等の自着剤を付着させたものであり、自着性布材同士を密着させると互いに密着状態に保持されるものと定義する。
【００１７】
（ｈ）第１の発明は、前記保持手段が、前記電線ガイド体に一体に形成されていてもよい。
この構成によれば、保持手段が電線ガイド体とは別体の部品である場合に比べて、部品点数を削減できる。
【００１８】
（ｉ）第１の発明は、（ｈ）において、前記電線ガイド体が、複数のリンク部材を一列に連結した形態であって内部に前記電線が挿通されたガイド本体と、前記ガイド本体を包囲する蛇腹状のゴムブーツとを備えて構成され、前記保持手段が、前記ガイド本体と前記ゴムブーツのうち少なくともいずれか一方に一体形成されていてもよい。
この構成によれば、保持手段がガイド本体やゴムブーツとは別体の部品である場合に比べて、部品点数を削減できる。
【００１９】
＜実施例１＞
以下、本発明を具体化した実施例１を図１〜図４を参照して説明する。本実施例１の電線ガイド装置Ａは、車両ボディ（図示省略）と車両ボディの側面の昇降口を開閉するスライドドア（図示省略）との間、あるいは、車両ボディのキャビン床面（図示省略）とスライドシート（図示省略）との間等に架設されるものである。
【００２０】
電線ガイド装置Ａ（電線ガイド体１０）内には、スライドドアに装備されたパワーウインドウやスライドシートのリクライニング装置等の電装品への給電を行うためのワイヤーハーネス３１（請求項に記載の電線）が挿通されている。ワイヤーハーネス３１は、給電用の導電路として機能する複数本の被覆電線（図示省略）を束ねて構成したものである。
【００２１】
電線ガイド装置Ａは、１本の細長い電線ガイド体１０と、電光装飾部品２９を電線ガイド体１０に取り付けるための複数のホルダ２１（電光装飾部品用ホルダ）と、電線ガイド体１０とホルダ２１と電光装飾部品２９を包囲する自着性布材３０とを備えて構成されている。ホルダ２１は、電光装飾部品２９を電線ガイド体１０に保持可能な保持手段として機能する。電線ガイド体１０は、合成樹脂からなる複数のリンク部材１２を一列に、且つ相対的に水平方向へ相対的に回動し得るように連結した形態のガイド本体１１と、ガイド本体１１をほぼ全長に亘って包囲するゴムブーツ１９とから構成されている。
【００２２】
リンク部材１２は、角筒状をなす。リンク部材１２を構成する上板部１３と下板部１４のうち、ガイド本体１１（電線ガイド体１０）の長さ方向における一方の端部には、上下方向に貫通する円形の軸受孔１６を有する上下一対の軸受側連結部１５が形成されている。上板部１３における他方の端部には、上面に軸部１８が突出形成された軸側連結部１７が形成され、下板部１４における他方の端部には、下面に軸部１８が突出形成された軸側連結部１７（図示省略）が形成されている。隣り合うリンク部材１２同士は、上下一対の軸部１８を上下一対の軸受孔１６に嵌合させることにより、上下方向の軸を中心として相対的に水平方向へ回動し得るように連結されている。このガイド本体１１内にはワイヤーハーネス３１が挿通されている。
【００２３】
ゴムブーツ１９は、角筒形をなすとともに、蛇腹状をなしている。ゴムブーツ１９の外周面には、周方向に沿った溝部２０が全周に亘って形成されている。ガイド本体１１（電線ガイド体１０）が湾曲変形するのに伴い、ゴムブーツ１９はその溝部２０の幅を変化させながらガイド本体１１に追従して湾曲変形するようになっている。
【００２４】
ホルダ２１は、合成樹脂製であり、水平な細長いアーム部２２と、アーム部２２の両端部から下方へ延出した一対の脚部２３（請求項に記載の係止部）と、一対の脚部２３の下端部から互いに接近するように水平に突出する係止端部２４（請求項に記載の係止部）とを備えた単一部品である。アーム部２２の下面（電線ガイド体１０の上面と対向する内面）には、上下方向へ弾性撓み可能な保持部２５が一体に形成されている。
【００２５】
保持部２５は、アーム部２２の下面からアーム部２２の長さ方向に沿って片持ち状に延出した形状である。保持部２５の延出端部２６とアーム部２２の下面との上下間隔は、保持部２５の基部２７とアーム部２２の下面との上下間隔に比べて狭くなっている。そして、保持部２５の基部２７とアーム部２２の下面との間は、内面が弧状をなすとともに電線ガイド体１０の長さ方向に貫通する保持空間２８となっている。この保持空間２８は、アーム部２２の長さ方向（電線ガイド体１０の幅方向）における中央位置に配置されている。
【００２６】
電光装飾部品２９は、透明な可撓性を有する樹脂製の線材内に光源となるＬＥＤ（図示省略）を埋設した形態である。電光装飾部品２９は、電光装飾部品２９の長さ方向に適宜間隔を空けて空けて配した複数のホルダ２１に保持されている。電光装飾部品２９の外径は、保持空間２８の内径とほぼ同じ寸法である。電光装飾部品２９をホルダ２１に取り付ける際には、保持部２５の延出端部２６をアーム部２２から遠ざけて、その間に電光装飾部品２９を通過させる。すると、電光装飾部品２９は、アーム部２２と略直交する向きで保持空間２８内に収容され、ホルダ２１に保持される。
【００２７】
電光装飾部品２９を保持した複数のホルダ２１は、電線ガイド体１０（ゴムブーツ１９）に対しその長さ方向に適宜間隔を空けて取り付けられている。各ホルダ２１をゴムブーツ１９に取り付ける際には、アーム部２２をゴムブーツ１９の上面と対向させて保持部２５をゴムブーツ１９の上面に載置し、脚部２３をゴムブーツ１９の側面の溝部２０に嵌合させ、係止端部２４をゴムブーツ１９の下面の溝部２０に嵌合させる。これにより、各ホルダ２１は、電線ガイド体１０（ゴムブーツ１９）に対し上下方向及び左右方向（電線ガイド体１０の幅方向）への相対変位を規制された状態に保持される。また、各ホルダ２１は、電線ガイド体１０に対しその長さ方向への相対変位を規制された状態に保持（位置決め）される。
【００２８】
複数のホルダ２１を電線ガイド体１０に取り付けた状態では、１本の電光装飾部品２９が、ゴムブーツ１９（電線ガイド体１０）の上面に沿うように、且つ電線ガイド体１０の長さ方向と略平行に配索される。平面視における電光装飾部品２９の配索経路は、リンク部材１２同士を連結している軸部１８を通過するような経路である。
【００２９】
自着性布材３０は、織布等からなる布状基材の両面に、天然ゴム等の自着剤（図示省略）を付着させたものである。尚、自着剤は布状基材の片面のみに付着させてもよい。布状基材としては、伸縮性と透光性を有する織布や不織布が用いられる。布状基材の素材としては、綿（木綿）、絹、麻などの天然繊維や、ポリエステル、ポリアミド、アクリル樹脂、ポリウレタン、ポリエチレン、ポリプロピレンなどの合成繊維や、アセテート繊維などの半合成繊維や、レイヨン繊維、キュプラ繊維などの再生繊維等を用いることができる。
【００３０】
布状基材は、略方形のシート状をなす。布状基材の長辺は、電線ガイド体１０の長さとほぼ同じ寸法に設定されている。布状基材の短辺は、ホルダ２１の周長に重ね代を加えた寸法に設定されている。ここで、周長とは、アーム部２２の長さ寸法の２倍の寸法と、２つの脚部２３の高さ寸法とを併せた寸法である。また、重ね代とは、例えば、アーム部２２の長さ寸法、あるいは脚部２３の高さ寸法に相当する寸法である。
【００３１】
自着剤は、自着剤同士を結合させることが可能な粘着性を有している。また、自着剤は、布状基材基材に対しても結合力を発揮する粘着性も有している。この自着剤の粘着力は、布状基材を破損させない程度の引張力が加えられたときに、自着剤同士の結合や、自着剤と布状基材との結合を解除するような強さである。また、自着剤の素材としては、天然ゴム、天然ゴムと合成ゴムとを混合したもの、アクリル系重合体等を用いることができる。
【００３２】
自着性布材３０は、その長辺を電線ガイド体１０の長さ方向に沿う向きにして、電線ガイド体１０とホルダ２１の外面に巻き付けられ、長辺側の２つの縁部のうち一方の縁部が、他方の縁部の外面に重ね合わせられて密着されている。この２つの縁部が重なった領域の幅寸法（又は、高さ寸法）は、上記の重ね代に相当する寸法である。そして、自着剤の粘着力により、自着性布材３０の長辺に沿った２つの縁部が結合し、自着性布材３０が、電線ガイド体１０とホルダ２１を全周に亘り且つ全長に亘って包囲した状態となる。尚、自着性布材３０は、長辺側の縁部を重ね合わせる際などに作業性を考慮して、密着・剥離を繰り返すことができるようになっている。
【００３３】
電光装飾部品２９に通電すると、電光装飾部品２９の光が自着性布材３０を通過するので、その光が電線ガイド体１０の上方から目視で確認することができる。ここで、電光装飾部品２９は、リンク部材１２を連結する軸部１８を通過する経路で配索しているので、電線ガイド体１０が湾曲変形しても、電光装飾部品２９は必ず電線ガイド体１０の上面の幅の範囲内に存在する。特に、電光装飾部品２９は、アーム部２２の下面と、両脚部２３の上端部の内側面と、ゴムブーツ１９（電線ガイド体１０）の上面との間で囲まれた空間内を通過しているので、電線ガイド体１０の全幅の範囲外へはみ出す虞はない。
【００３４】
本実施例１の電線ガイド装置Ａは、内部にワイヤーハーネス３１が挿通されるようになっていて湾曲変形可能な細長い電線ガイド体１０と、ホルダ２１とを備えている。ホルダ２１は、電線ガイド体１０の外面に係止可能な係止部（脚部２３と係止端部２４）と、電光装飾部品２９を保持可能な保持部２５とを有している。つまり、このホルダ２１は、電線ガイド体１０に取り付けられることで電線ガイド装置Ａを構成している。電光装飾部品２９を電線ガイド体１０に取り付ける際には、ホルダ２１で電光装飾部品２９を保持し、そのホルダ２１を電線ガイド体１０に係止させれば済む。本実施例１によれば、両面テープ等のように電線ガイド体１０の湾曲変形に支障を来すような部材を用いなくても、細長い電光装飾部品２９を電線ガイド体１０に取り付けることができる。
【００３５】
また、ホルダ２１は、電線ガイド体１０の外面（ゴムブーツ１９の上面）と対向するアーム部２２を有し、保持部２５がアーム部２２における電線ガイド体１０（ゴムブーツ１９）との対向面（下面）に配されている。この構成によれば、電光装飾部品２９を電線ガイド体１０の外面に沿うように配索することができる。また、電線ガイド体１０は、略水平面内で湾曲するように変形可能であり、保持部２５が、電線ガイド体１０の上面と対向するように配されている。この構成によれば、電線ガイド体１０が湾曲変形しても電光装飾部品２９の配索長が大きく変化することがないので、電光装飾部品２９の配索長を設定する際に余長を確保せずに済む。
【００３６】
また、電線ガイド体１０が、複数のリンク部材１２を一列に連結した形態であって内部にワイヤーハーネス３１が挿通されたガイド本体１１と、ガイド本体１１を包囲する蛇腹状のゴムブーツ１９とを備えて構成されている。そして、係止部である脚部２３と係止端部２４は、ゴムブーツ１９の外面の溝部２０に係止されている。この構成によれば、ゴムブーツ１９がガイド本体１１に追従して湾曲変形できるようにするために外面に形成されている既存の溝部２０を利用して、ホルダ２１を電線ガイド体１０に取り付けることが実現されている。
【００３７】
また、電線ガイド体１０とホルダ２１が、伸縮性及び透光性を有する自着性布材３０で包囲されている。この構成によれば、自着性布材３０によってホルダ２１を隠すことができるので、美観を向上させることができる。尚、自着性布材３０は、織布等からなる布状基材に天然ゴム等の自着剤を付着させたものであり、自着性布材３０同士を密着させると互いに密着状態に保持されるものと定義されている。
【００３８】
＜実施例２＞
以下、本発明を具体化した実施例１を図５〜図７を参照して説明する。本実施例１の電線ガイド装置Ｂは、車両ボディ（図示省略）と車両ボディの側面の昇降口を開閉するスライドドア（図示省略）との間、あるいは、車両ボディのキャビン床面（図示省略）とスライドシート（図示省略）との間等に架設されるものである。
【００３９】
電線ガイド装置Ｂ（電線ガイド体４０）内には、スライドドアに装備されたパワーウインドウやスライドシートのリクライニング装置等の電装品への給電を行うためのワイヤーハーネス６１（請求項に記載の電線）が挿通されている。ワイヤーハーネス６１は、給電用の導電路として機能する複数本の被覆電線（図示省略）を束ねて構成したものである。
【００４０】
電線ガイド装置Ｂは、１本の細長い電線ガイド体４０と、電光装飾部品６０を電線ガイド体４０に取り付けるための複数のホルダ５１（電光装飾部品用ホルダ）とを備えて構成されている。ホルダ５１は、電光装飾部品２９を電線ガイド体１０に保持可能な保持手段として機能する。電線ガイド体４０は、合成樹脂からなる複数のリンク部材４２を一列に、且つ相対的に水平方向へ相対的に回動し得るように連結した形態のガイド本体４１と、ガイド本体４１をほぼ全長に亘って包囲する自着性布材５０とから構成されている。
【００４１】
リンク部材４２は、角筒状をなす。リンク部材４２を構成する上板部４３と下板部４４のうち、ガイド本体４１（電線ガイド体４０）の長さ方向における一方の端部には、上下方向に貫通する円形の軸受孔４６を有する上下一対の軸受側連結部４５が形成されている。上板部４３における他方の端部には、上面に軸部４８が突出形成された軸側連結部４７が形成され、下板部４４における他方の端部にも、下面に軸部４８が突出形成された軸側連結部４７が形成されている。
【００４２】
隣り合うリンク部材４２同士は、上下一対の軸部４８を上下一対の軸受孔４６に嵌合させることにより、上下方向の軸を中心として相対的に水平方向へ回動し得るように連結されている。このガイド本体４１内にはワイヤーハーネス６１が挿通されている。
【００４３】
軸部４８と軸受孔４６を嵌合した状態では、上側の軸部４８の上面と下側の軸部４８の下面が、夫々、軸受孔４６の内部で上方と下方へ露出している。そして、上側の軸部４８の上面と下側の軸部４８の下面には、夫々、軸部４８と同心状の円形をなす凹部４９が、外部に露出した形態で形成されている。この凹部４９は、肉抜き（金型成型時におけるヒケと称される軸部４８の変形を抑制するために軸部４８の肉厚を薄くすること）を目的として形成されたものであるが、後述するホルダ５１を係止させる手段しての機能も兼ね備えている。
【００４４】
自着性布材５０は、織布等からなる布状基材の両面に、天然ゴム等の自着剤（図示省略）を付着させたものである。尚、自着剤は布状基材の片面のみに付着させてもよい。布状基材としては、伸縮性と透光性を有する織布や不織布が用いられる。布状基材の素材としては、綿（木綿）、絹、麻などの天然繊維や、ポリエステル、ポリアミド、アクリル樹脂、ポリウレタン、ポリエチレン、ポリプロピレンなどの合成繊維や、アセテート繊維などの半合成繊維や、レイヨン繊維、キュプラ繊維などの再生繊維等を用いることができる。
【００４５】
布状基材は、略方形のシート状をなす。布状基材の長辺は、電線ガイド体４０の長さとほぼ同じ寸法に設定されている。布状基材の短辺は、ガイド本体４１の周長に重ね代を加えた寸法に設定されている。ここで、周長とは、ガイド本体４１（リンク部材４２）の幅寸法の２倍の寸法と、ガイド本体４１（リンク部材４２）の高さ寸法の２倍の寸法とを併せた寸法である。また、重ね代とは、例えば、ガイド本体４１の幅寸法、あるいはガイド本体４１の高さ寸法に相当する寸法である。
【００４６】
自着剤は、自着剤同士を結合させることが可能な粘着性を有している。また、自着剤は、布状基材基材に対しても結合力を発揮する粘着性も有している。この自着剤の粘着力は、布状基材を破損させない程度の引張力が加えられたときに、自着剤同士の結合や、自着剤と布状基材との結合を解除するような強さである。また、自着剤の素材としては、天然ゴム、天然ゴムと合成ゴムとを混合したもの、アクリル系重合体等を用いることができる。
【００４７】
自着性布材５０は、その長辺をガイド本体４１の長さ方向に沿う向きにして、ガイド本体４１の外面に巻き付けられ、長辺側の２つの縁部のうち一方の縁部が、他方の縁部の外面に重ね合わせられて密着されている。この２つの縁部が重なった領域の幅寸法（又は、高さ寸法）は、上記の重ね代に相当する寸法である。そして、自着剤の粘着力により、自着性布材５０の長辺に沿った２つの縁部が結合し、自着性布材５０が、ガイド本体４１を全周に亘り且つ全長に亘って包囲した状態となる。
【００４８】
ホルダ５１は、合成樹脂製であり、電線ガイド体４０に対し包囲するように取り付けられる。ホルダ５１は、水平な細長いアーム部５２と、アーム部５２の両端部から下方へ延出した一対の脚部５３と、一対の脚部５３の下端部から互いに接近するように水平に突出する係止端部５４とを備えた単一部品である。そして、係止端部５４の延出端には、上向きに突出する係止突起５５（請求項に記載の係止部）が形成されている。
【００４９】
アーム部５２の下面（電線ガイド体４０の上面と対向する内面）には、上下方向へ弾性撓み可能な保持部５６が一体に形成されている。保持部５６は、アーム部５２の下面からアーム部５２の長さ方向に沿って片持ち状に延出した形状である。保持部５６の延出端部５７とアーム部５２の下面との上下間隔は、保持部５６の基部５８とアーム部５２の下面との上下間隔に比べて狭くなっている。そして、保持部５６の基部５８とアーム部５２の下面との間には、内面が弧状をなすとともに電線ガイド体４０の長さ方向に貫通する保持空間５９となっている。この保持空間５９は、アーム部５２の長さ方向（電線ガイド体４０の幅方向）における中央位置に配置されている。
【００５０】
電光装飾部品６０は、透明な可撓性を有する樹脂製の線材内に光源となるＬＥＤを埋設した形態である。電光装飾部品６０は、電光装飾部品６０の長さ方向に適宜間隔を空けて空けて配した複数のホルダ５１に保持されている。電光装飾部品６０の外径は、保持空間５９の内径とほぼ同じ寸法である。電光装飾部品６０をホルダ５１に取り付ける際には、保持部５６の延出端部５７をアーム部５２から遠ざけて、その間に電光装飾部品６０を通過させる。すると、電光装飾部品６０は、アーム部５２と略直交する向きで保持空間５９内に収容され、ホルダ５１に保持される。
【００５１】
電光装飾部品６０を保持した複数のホルダ５１は、電線ガイド体４０に対しその長さ方向に適宜間隔を空けて取り付けられている。各ホルダ５１を電線ガイド体４０に取り付ける際には、アーム部５２を、自着性布材５０を介して電線ガイド体４０の上面と対向させ、保持部５６を、自着性布材５０を介して電線ガイド体４０（リンク部材４２）の上面に載置する。また、一対の脚部５３でガイド本体４１（リンク部材４２）を挟む。そして、一対の係止突起５５を、下面側の凹部４９内に嵌入させる。
【００５２】
これにより、ホルダ５１は、電線ガイド体４０（ガイド本体４１）に対し長さ方向への相対変位を規制されるとともに、電線ガイド体４０に対し上下方向及び左右方向（電線ガイド体４０の幅方向）への相対変位を規制された状態に保持される。また、係止突起５５が凹部４９内に嵌入するときには、自着性布材５０が係止突起５５によって凹部４９内に押し込まれる。これにより、自着性布材５０は、ガイド本体４１に対して長さ方向及び周方向への相対変位を規制された状態に保持される。
【００５３】
複数のホルダ５１を電線ガイド体４０に取り付けた状態では、１本の電光装飾部品６０が、電線ガイド体４０（自着性布材５０）の上面に沿うように、且つ電線ガイド体４０の長さ方向と略平行に配索される。平面視における電光装飾部品６０の配索経路は、リンク部材４２同士を連結している軸部４８を通過するような経路である。
【００５４】
電光装飾部品６０に通電すると、その光が電線ガイド体４０の上方から目視で確認することができる。ここで、電光装飾部品６０は、リンク部材４２を連結する軸部４８を通過する経路で配索しているので、電線ガイド体４０が湾曲変形しても、電光装飾部品６０は必ず電線ガイド体４０の上面の幅の範囲内に存在する。特に、電光装飾部品６０は、アーム部５２の下面と、両脚部５３の上端部の内側面と、電線ガイド体４０（リンク部材４２）の上面との間で囲まれた空間内を通過しているので、電線ガイド体４０の全幅の範囲外へはみ出す虞はない。
【００５５】
本実施例２の電線ガイド装置Ｂは、内部にワイヤーハーネス６１が挿通されるようになっていて湾曲変形可能な細長い電線ガイド体４０と、ホルダ５１とを備えている。ホルダ５１は、電線ガイド体４０の外面に係止可能な係止部（係止突起５５）と、電光装飾部品６０を保持可能な保持部５６とを有している。つまり、このホルダ５１は、電線ガイド体４０に取り付けられることで電線ガイド装置Ｂを構成している。電光装飾部品６０を電線ガイド体４０に取り付ける際には、ホルダ５１で電光装飾部品６０を保持し、そのホルダ５１を電線ガイド体４０に係止させれば済む。本実施例２によれば、両面テープ等のように電線ガイド体４０の湾曲変形に支障を来すような部材を用いなくても、細長い電光装飾部品６０を電線ガイド体４０に取り付けることができる。
【００５６】
また、ホルダ５１は、電線ガイド体４０の外面（上面）と対向するアーム部５２を有し、保持部５６がアーム部５２における電線ガイド体４０との対向面（下面）に配されている。この構成によれば、電光装飾部品６０を電線ガイド体４０の外面に沿うように配索することができる。また、電線ガイド体４０は、略水平面内で湾曲するように変形可能であり、保持部５６が、電線ガイド体４０の上面と対向するように配されている。この構成によれば、電線ガイド体４０が湾曲変形しても電光装飾部品６０の配索長が大きく変化することがないので、電光装飾部品６０の配索長を設定する際に余長を確保せずに済む。
【００５７】
また、電線ガイド体４０は、複数のリンク部材４２を一列に連結した形態であって内部にワイヤーハーネス６１が挿通されたガイド本体４１と、ガイド本体４１を包囲する伸縮性を有する自着性布材５０とを備えて構成されている。そして、リンク部材４２同士を連結する下側の軸部４８の端面には凹部４９が形成され、係止突起５５が、自着性布材５０とともに凹部４９内に嵌入されるようになっている。これにより、ホルダ５１を電線ガイド体４０に取り付けることができるとともに、自着性布材５０とガイド本体４１とを一体化させることができる。尚、自着性布材５０は、織布等からなる布状基材に天然ゴム等の自着剤を付着させたものであり、自着性布材５０同士を密着させると互いに密着状態に保持されるものと定義する。
【００５８】
＜実施例３＞
以下、本発明を具体化した実施例３を図８を参照して説明する。上記実施例１の電線ガイド装置Ａでは、電光装飾部品２９を電線ガイド体１０に取り付ける手段として、電線ガイド体１０とは別体のホルダ２１を用いたが、本実施例３の電線ガイド装置Ｃでは、電光装飾部品２９を電線ガイド体１０に取り付けるための手段として、ホルダ２１に替えて、複数の保持部７０（請求項に記載の保持手段）が、電線ガイド体１０と一体に形成されている。電線ガイド体１０は、実施例１と同じく、複数のリンク部材１２を一列に、且つ相対的に水平方向へ相対的に回動し得るように連結した形態のガイド本体１１と、ガイド本体１１をほぼ全長に亘って包囲するゴムブーツ１９とから構成されている。尚、本実施例３の電線ガイド装置Ｃでは、ゴムブーツ１９によって美観が保たれているので、美観向上のための自着性布材３０は設けられていない。
【００５９】
各保持部７０は、リンク部材１２の上板部１３の上面（外面）から突出した形態であり、リンク部材１２と一体に形成されている。尚、保持部７０は、全てのリンク部材１２に形成されていてもよく、複数のリンク部材１２のうち所定間隔を空けたいずれかのリンク部材１２のみに形成されていてもよい。
【００６０】
保持部７０は、上板部１３の上面から上板部１３の幅方向に沿って片持ち状に延出した形状である。保持部７０の延出端部７１と上板部１３の上面との上下間隔は、保持部７０の基部７２と上板部１３の上面との上下間隔に比べて狭くなっている。そして、保持部７０の基部７２と上板部１３の上面との間は、内面が弧状をなすとともに電線ガイド体１０の長さ方向に貫通する保持空間７３となっている。この保持空間７３は、上板部１３（電線ガイド体１０）の幅方向における中央位置に配置されている。複数の保持空間７３内には、細長い電光装飾部品２９が収容された状態で保持されている。また、保持部７０と電光装飾部品２９は、ゴムブーツ１９によって包囲されている。
【００６１】
＜実施例４＞
以下、本発明を具体化した実施例４を図９を参照して説明する。上記実施例１の電線ガイド装置Ａでは、電光装飾部品２９を電線ガイド体１０に取り付ける手段として、電線ガイド体１０とは別体のホルダ２１を用いたが、本実施例４の電線ガイド装置Ｄでは、電光装飾部品２９を電線ガイド体１０に取り付けるための手段として、ホルダ２１に替えて、複数の保持部７５（請求項に記載の保持手段）が、電線ガイド体１０と一体に形成されている。電線ガイド体１０は、実施例１と同じく、複数のリンク部材１２を一列に、且つ相対的に水平方向へ相対的に回動し得るように連結した形態のガイド本体１１と、ガイド本体１１をほぼ全長に亘って包囲する角筒状のゴムブーツ１９とから構成されている。
【００６２】
各保持部７５は、ゴムブーツ１９の上面部７９の上面（外面）から突出した形態であり、ゴムブーツ１９と一体に形成されている。保持部７５は、上面部７９の下面から上面部７９の幅方向に沿って片持ち状に延出した形状である。保持部７５の延出端部７６と上面部７９の上面との上下間隔は、保持部７５の基部７７と上面部７９の上面との上下間隔に比べて狭くなっている。そして、保持部７５の基部７７と上面部７９の下面との間は、内面が弧状をなすとともに電線ガイド体１０の長さ方向に貫通する保持空間７８となっている。この保持空間７８は、上面部７９（電線ガイド体１０）の幅方向における中央位置に配置されている。複数の保持空間７８内には、細長い電光装飾部品２９が収容された状態で保持されている。また、保持部７５と電光装飾部品２９は、自着性布材３によって包囲されている。
【００６３】
＜実施例５＞
以下、本発明を具体化した実施例５を図１０を参照して説明する。上記実施例２の電線ガイド装置Ｂでは、電光装飾部品６０を電線ガイド体４０に取り付ける手段であるホルダ５１が、電線ガイド装置Ｂの外面に露出した形態となっているが、本実施例５の電線ガイド装置Ｅでは、電線ガイド体４０、ホルダ５１及び電光装飾部品６０が、可撓性を有する角筒蛇腹状のゴムブーツ８０によって包囲されている。電線ガイド装置Ｅは、ゴムブーツ８０によって美観が保たれているため、実施例２の電線ガイド装置Ｂに設けられていた自着性布材５０は備えていない。
【００６４】
＜他の実施例＞
本発明は上記記述及び図面によって説明した実施例に限定されるものではなく、例えば次のような実施例も本発明の技術的範囲に含まれる。
（１）上記実施例１，２，５では、電光装飾部品を保持する保持部が、ホルダのアーム部の内面（電線ガイド体との対向面）に配されているが、保持部は、アーム部の外面に配されていてもよい。
（２）上記実施例１〜５では、電光装飾部品を電線ガイド体の上面に沿うように配索したが、電光装飾部品は、電線ガイド体の下面や側面に沿うように配索してもよい。
（３）上記実施例１では、電線ガイド体とホルダと電光装飾部品を自着性布材で包囲したが、電線ガイド体とホルダと電光装飾部品は、自着性布材で包囲せずに剥き出しのままであってもよい。
（４）上記実施例１〜４では、自着性布材が、電線ガイド体の全長とほぼ同じ寸法の長辺と、電線ガイド体の周長よりも少し大きい寸法の短辺を有する略方形のシート状であるが、自着性布材は、テープ状をなすものであってもよい。この場合、自着性布材を電線カバーの外周に螺旋状に巻き付けていけばよい。
（５）上記実施例３，４では、保持手段が、ガイド本体とゴムブーツのうちいずれか一方のみに一体形成されているが、これに限らず、保持手段は、ガイド本体とゴムブーツの両方に一体形成されていてもよい。この場合、電光装飾部品を双方の保持手段に保持すればよい。
（６）上記実施例３，４では、電線ガイド体と電光装飾部品を自着性布材で包囲したが、電線ガイド体と電光装飾部品は、自着性布材で包囲せずに剥き出しのままであってもよい。
（７）上記実施例３，４では、電線ガイド体がガイド本体とゴムブーツとを備え、保持手段がガイド本体又はゴムブーツに一体形成されているが、電線ガイド体が、ガイド本体とゴムブーツ以外の部品を備えたものである場合には、ガイド本体とゴムブーツ以外の部品に保持手段を一体形成してもよい。
（８）上記実施例１〜４では、ガイド本体が、複数のリンク部材を一列に連結した形態であるが、ガイド本体は、合成樹脂製のコルゲートチューブ等のように可撓性を有する長尺の単一筒状部品であってもよい。
【符号の説明】
【００６５】
Ａ…電線ガイド装置
Ｂ…電線ガイド装置
Ｃ…電線ガイド装置
Ｄ…電線ガイド装置
Ｅ…電線ガイド装置
１０…電線ガイド体
１１…ガイド本体
１２…リンク部材
１９…ゴムブーツ
２０…溝部
２１…ホルダ（保持手段、電光装飾部品用ホルダ）
２２…アーム部
２３…脚部（係止部）
２４…係止端部（係止部）
２５…保持部
２９…電光装飾部品
３０…自着性布材
３１…ワイヤーハーネス（電線）
４０…電線ガイド体
４１…ガイド本体
４２…リンク部材
４８…軸部
４９…凹部
５０…自着性布材
５１…ホルダ（保持手段、電光装飾部品用ホルダ）
５２…アーム部
５５…係止突起（係止部）
５６…保持部
６０…電光装飾部品
６１…ワイヤーハーネス（電線）
７０…保持部（保持手段）
７５…保持部（保持手段）
８０…ゴムブーツ
【図１】
2017055550.tif 000003
【図２】
2017055550.tif 000004
【図３】
2017055550.tif 000005
【図４】
2017055550.tif 000006
【図５】
2017055550.tif 000007
【図６】
2017055550.tif 000008
【図７】
2017055550.tif 000009
【図８】
2017055550.tif 000010
【図９】
2017055550.tif 000011
【図１０】
2017055550.tif 000012